(57)【要約】【課題】目脂除去性に優れ、使用に際し、刺激及び不快感がない目脂清拭用組成物、及び固まった目脂であっても衛生的に、かつ簡単に除去することができる目脂清拭用製品の提供。【解決手段】負に荷電したキレート剤及び粘土鉱物の少なくともいずれかと、高分子化合物、非イオン界面活性剤及び多価アルコールから選ばれる少なくともいずれかの目脂溶解補助剤と、を含有する目脂清拭用組成物である。前記負に荷電したキレート剤が、クエン酸及びその塩、並びにエデト酸及びその塩から選ばれる態様、更に、緩衝剤を含有する態様、などが好ましい。【選択図】          なし【特許請求の範囲】
【請求項１】
負に荷電したキレート剤及び粘土鉱物の少なくともいずれかと、高分子化合物、非イオン界面活性剤及び多価アルコールから選ばれる少なくともいずれかの目脂溶解補助剤と、を含有することを特徴とする目脂清拭用組成物。
【請求項２】
負に荷電したキレート剤が、クエン酸及びその塩、並びにエデト酸及びその塩から選ばれる請求項１に記載の目脂清拭用組成物。
【請求項３】
更に、緩衝剤を含有する請求項１から２のいずれかに記載の目脂清拭用組成物。
【請求項４】
基材に、請求項１から３のいずれかに記載の目脂清拭用組成物を含浸又は塗布してなることを特徴とする目脂清拭用製品。
【発明の詳細な説明】
【０００１】
【発明の属する技術分野】
本発明は、目脂除去性に優れ、使用に際し、刺激及び不快感がない目脂清拭用組成物、及び固まった目脂であっても衛生的に、かつ簡単に除去することができる目脂清拭用製品に関する。
【０００２】
【従来の技術】
高齢者は涙液分泌が少なくなるため、目脂が出ることが多くなり、それが固まって目があけづらい等の不具合が起こることが多い。また、高齢者以外の者では、目脂は、通常、起床時に多少つく程度であるが、花粉症やドライアイといった眼疾患がある場合は、マイボーム腺や皮脂腺の炎症により目脂が増えることがある。
このような目脂は、手でぬぐったり、ティッシュで拭き取ったりすることが多いが、非衛生的であり、また、いたずらに眼を擦って、逆に炎症を起こす恐れがある。
【０００３】
このため、洗浄用組成物の入った洗眼カップを眼周辺部に押し当て、角度を変えることにより、眼に接触させて洗眼する方法が提案されている。しかし、通常の洗浄用組成物を使用する場合には、眼だけでなく、眼の周辺部分にも洗浄用組成物が接触するため、粘膜の周辺部の皮膚に乾燥感、カサツキ感等を感じるという問題がある。
【０００４】
かかる問題点を解決するため、特許文献１には、非界面活性剤及びビタミンＡ類を含む粘膜洗浄用組成物が提案されている。この特許文献１の組成物を使用して洗眼することにより、汚れを除去する効果が高く、粘膜、粘膜周辺部の皮膚の乾燥感、カサツキ感を防止することができる。また、特許文献２には、所定の濃度のビタミンＥ類、メントール類及びカンフル類を含む粘膜外用剤組成物が提案されている。この特許文献２の組成物を使用して洗眼することにより、眼の血液循環障害、毛細血管内の血流滞留の改善、水晶体の酸化抑制の効果を有しながら、かつ、粘膜周辺の皮膚へのベタツキ感を防止することができる。しかし、目脂が目の周りに固化したような場合は、特許文献１及び２のような洗浄組成物を用いた洗眼方法では、簡単には取り除くことができないという問題がある。
【０００５】
また、特許文献３には、ホウ酸水や生理食塩水を携帯可能なガーゼなどに含浸させて清拭することにより、衛生的に埃又は目脂を除去する方法が提案されている。しかし、目脂が硬くなっている場合には、力を入れて除去しなければならず、その結果、痛みが生じたり、眼周辺部を傷つける等の事故が発生してしまうという問題がある。
【０００６】
このように、目脂の除去については、種々の検討がなされているが、未だ十分満足できるものは提供されておらず、更なる改良が望まれているのが現状である。
【０００７】
【特許文献１】
特開２００２−３４０４号公報
【特許文献２】
特開２０００−１９１５２９号公報
【特許文献３】
特開平１１−３３０７６号公報
【０００８】
【発明が解決しようとする課題】
本発明は、かかる現状に鑑みてなされたものであり、従来における前記諸問題を解決し、以下の目的を達成することを課題とする。即ち、本発明は、目脂除去性に優れ、使用に際し、刺激及び不快感がない目脂清拭用組成物、及び固まった目脂であっても衛生的に、かつ簡単に除去できる目脂清拭用製品を提供することを目的とする。
【０００９】
【課題を解決するための手段】
前記課題を解決するため本発明者らが鋭意検討を重ねた結果、負（マイナス）に荷電したキレート剤及び粘土鉱物の少なくともいずれかと、高分子化合物、非イオン界面活性剤及び多価アルコールから選ばれる少なくともいずれかの目脂溶解補助剤と、を含有する目脂清拭用組成物が、プラスに帯電したタンパク質の汚れである目脂を、負（マイナス）に荷電したキレート剤及び粘土鉱物の少なくともいずれかが包み込むことによって除去でき、使用に際し、刺激及び不快感がなく、該目脂清拭用組成物を用いた目脂清拭用製品は、固まった目脂であっても衛生的に、かつ簡単に除去できることを知見した。
【００１０】
即ち、前記課題を解決するための手段としては、以下の通りである。
＜１＞  負に荷電したキレート剤及び粘土鉱物の少なくともいずれかと、高分子化合物、非イオン界面活性剤及び多価アルコールから選ばれる少なくともいずれかの目脂溶解補助剤と、を含有することを特徴とする目脂清拭用組成物である。
＜２＞  負に荷電したキレート剤が、クエン酸及びその塩、並びにエデト酸及びその塩から選ばれる前記＜１＞に記載の目脂清拭用組成物である。
＜３＞  負に荷電したキレート剤の配合量が、目脂清拭用組成物全量に対し、０．００１〜１．０ｗ／ｖ（質量／容量）％である前記＜１＞から＜２＞のいずれかに記載の目脂清拭用組成物である。
＜４＞  粘土鉱物が、スメクタイト、タルク、カオリン、バーミキュライト及び雲母から選ばれる前記＜１＞から＜３＞のいずれかに記載の目脂清拭用組成物である。
＜５＞  粘度鉱物の配合量が、目脂清拭用組成物全量に対し、０．００１〜１０ｗ／ｖ（質量／容量）％である前記＜１＞から＜４＞のいずれかに記載の目脂清拭用組成物である。
＜６＞  更に、緩衝剤を含有する前記＜１＞から＜５＞のいずれかに記載の目脂清拭用組成物である。
＜７＞  液状乃至はゲル状である前記＜１＞から＜６＞のいずれかに記載の目脂清拭用組成物である。
＜８＞  基材に、前記＜１＞から＜７＞のいずれかに記載の目脂清拭用組成物を含浸又は塗布してなることを特徴とする目脂清拭用製品である。
＜９＞  基材が、脱脂綿、綿棒、ガーゼ、スポンジ、織布及び不織布のいずれかである前記＜８＞に記載の目脂清拭用製品である。
＜１０＞  前記＜１＞から＜７＞のいずれかに記載の目脂清拭用組成物を目脂発生部位に接触させた後、清拭して目脂を除去することを特徴とする目脂除去方法である。
＜１１＞  前記＜８＞から＜９＞のいずれかに記載の目脂清拭用製品を、目脂発生部位に接触させた後、清拭して目脂を除去することを特徴とする目脂除去方法である。
【００１１】
【発明の実施の形態】
＜目脂清拭用組成物＞
本発明の目脂清拭用組成物は、負に荷電したキレート剤及び粘土鉱物の少なくともいずれかと、高分子化合物、非イオン界面活性剤及び多価アルコールから選ばれる少なくともいずれかの目脂溶解補助剤と、を含有し、更に必要に応じて緩衝剤、その他の成分を含有する。
【００１２】
−負に荷電したキレート剤−
前記負に荷電したキレート剤としては、例えば、エデト酸又はその塩（例えばエデト酸ナトリウム等）、クエン酸又はその塩（例えばクエン酸ナトリウム等）、リン酸又はその塩（例えば、リン酸一水素ナトリウム等）、酒石酸又はその塩（例えば酒石酸ナトリウム等）、グルコン酸又はその塩（例えばグルコン酸ナトリウム等）、酢酸又はその塩（例えば酢酸ナトリウム等）、等が挙げられ、これらの中でも、クエン酸ナトリウム、エデト酸ナトリウムがより好ましい。
これらは、１種を単独で、又は２種以上を組み合わせて用いることができる。
【００１３】
前記負に荷電したキレート剤の配合量は、目脂清拭用組成物全量に対し、０．００１〜１．０ｗ／ｖ（質量／容量）％が好ましく、０．００５〜０．５ｗ／ｖ％がより好ましい。前記配合量が０．００１ｗ／ｖ％未満であると、目脂を十分に包み込んで除去することができない場合がある。一方、１．０ｗ／ｖ％を超えると、眼に対する安全性の点から好ましくない。
【００１４】
−粘土鉱物−
前記粘土鉱物としては、例えば、スメクタイト、タルク、カオリン、バーミキュライト、雲母等が挙げられる。スメクタイトとしては、例えば、ベントナイト、モンモリロナイト、パイデライト、ノントロナイト、サポナイト、ヘラクトライト、ソーコナイト、スチーブンサイト等が挙げられる。
これらは、１種を単独で又は２種以上を組み合わせて用いることができる。
【００１５】
前記粘土鉱物の配合量は、目脂清拭用組成物全量に対し、０．００１〜１０ｗ／ｖ（質量／容量）％が好ましく、０．０５〜５ｗ／ｖ％がより好ましい。前記配合量が０．００１ｗ／ｖ％未満であると目脂を十分に包み込んで除去することができない場合がある。一方、１０ｗ/ｖ％を超えると、目脂清拭用組成物中での分散安定性が低下する場合がある。
【００１６】
前記目脂溶解補助剤は、高分子化合物、非イオン界面活性剤及び多価アルコールから選ばれる少なくともいずれかが挙げられ、これらの中でも、高分子化合物が好ましい。
前記目脂溶解補助材は、１種を単独で又は２種以上を組み合わせて用いることができ、高分子化合物と非イオン界面活性剤との組み合わせ、高分子化合物と多価アルコールとの組み合わせ、高分子化合物と非イオン界面活性剤と多価アルコールとの組み合わせ等が好適である。
【００１７】
−高分子化合物−
前記高分子化合物としては、例えば、ヒドロキシプロピルメチルセルロース、メチルセルロース、エチルセルロース、ヒドロキシプロピルセルロース、ポリビニルアルコール、ポリビニルピロリドン、カルボキシビニルポリマー、ヒドロキシプロピルエチルセルロース、ヒドロキシエチルセルロース、カルボキシメチルセルロース、ヒドロキシエチルメチルセルロース等が挙げられ、これらの中でも、ヒドロキシプロピルメチルセルロース、ヒドロキシプロピルセルロース、ポリビニルアルコール、カルボキシビニルポリマー、ヒドロキシエチルセルロースがより好ましい。
これらは、１種を単独で、又は２種以上を組み合わせて用いることができる。
【００１８】
前記高分子化合物の配合量は、目脂清拭用組成物全量に対し、０．０１〜１０ｗ／ｖ％が好ましく、０．０５〜５ｗ／ｖ％がより好ましい。前記配合量が０．０１ｗ／ｖ％未満であると、良好な目脂除去効果が得られない場合がある。一方、１０ｗ／ｖ％を超えると、刺激が強くなりすぎる場合がある。
【００１９】
−非イオン界面活性剤−
前記非イオン界面活性剤としては、例えば、水溶性のポリオキシエチレン硬化ヒマシ油等のポリオキシエチレン高級脂肪酸エステル、ポリオキシソルビタン高級脂肪酸エステル、等が挙げられる。具体的には、ポリオキシエチレン（ｐ（エチレンオキシドの平均付加モル数）＝６０）硬化ヒマシ油、ポリオキシエチレン（ｐ＝２０）ソルビタンモノオレエート等が挙げられる。
これらは、１種を単独で、又は２種以上を組み合わせて用いることができる。
【００２０】
前記非イオン界面活性剤の配合量は、目脂清拭用組成物全量に対し０．００１〜５ｗ／ｖ％が好ましく、０．０１〜１ｗ／ｖ％がより好ましい。前記配合量が０．００１ｗ／ｖ％未満であると、良好な目脂除去効果が得られない場合がある。一方、５ｗ／ｖ％を超えると、刺激が強くなりすぎる場合がある。
【００２１】
−多価アルコール−
前記多価アルコールとしては、例えば、エチレングリコール、プロピレングリコール、ポリエチレングリコール、ポリプロピレングリコール、ポリエチレンポリプロピレングリコール、ジエチレングリコールモノアルキルエーテル、グリセリン、ジグリセリン、トリグリセリン、ポリグリセリン等が挙げられる。これらの中でも、プロピレングリコール、エチレングリコール、ジエチレングリコールモノアルキルエーテル、グリセリン、ポリエチレングリコール、ポリエチレンポリプロピレングリコール、ポリプロピレングリコールが好ましく、プロピレングリコール、エチレングリコール、グリセリン、ポリエチレングリコールが特に好ましく、グリセリンが最も好ましい。
これらは、１種を単独で、又は２種以上を組み合わせて用いることができる。
【００２２】
前記多価アルコールの配合量は、目脂清拭用組成物全量に対し、０．００１〜２０ｗ／ｖ％が好ましく、０．０１〜１０ｗ／ｖ％がより好ましい。前記配合量が０．００１ｗ／ｖ％未満であると、良好な目脂除去効果が得られない場合がある。一方、２０ｗ／ｖ％を超えると、刺激が強くなりすぎる場合がある。
【００２３】
本発明の目脂清拭用組成物には、更に必要に応じて眼の刺激性を和らげる目的で、緩衝剤を含有することが好ましい。
前記緩衝剤としては、例えば、ホウ酸又はその塩（ホウ砂等）、各種アミノ酸、トロメタモール、ジイソプロパノールアミン、トリエタノールアミン、等が挙げられ、これらの中でも、ホウ酸、トロメタモールが好ましい。
これらは１種を単独で、又は２種以上を組み合わせて用いることができる。
【００２４】
前記緩衝剤の配合量は、目脂清拭用組成物全量に対し、０．０１〜５ｗ／ｖ％が好ましく、０．１〜３ｗ／ｖ％がより好ましい。
【００２５】
−その他の成分−
本発明の目脂清拭用組成物には、本発明の効果を妨げない限り、目的に応じてその他の成分を配合することができる。前記その他の成分としては、例えば、防腐剤、等張化剤、ｐＨ調節剤、香料・清涼化剤、薬学的有効成分、酸化防止剤、安定化剤、ビタミン類、アミノ酸類等が挙げられ、その他の成分は、通常使用量において好適に使用することができる。
【００２６】
前記防腐剤としては、例えば、メチルパラベン、エチルパラベン、プロピルパラベン、ブチルパラベン等のパラベン類、グルコン酸クロルヘキシジン、クロロブタノール、フェニルエチルアルコール、ベンジルアルコール、デヒドロ酢酸ナトリウム、ソルビン酸、ソルビン酸カリウム、第４級アンモニウム性陽イオン界面活性剤、塩酸クロルヘキシジンなどが挙げられる。前記第４級アンモニウム性陽イオン界面活性剤としては、例えば、塩化ベンザルコニウム、塩化ベンゼトニウム、塩化セチルピリジニウム等が挙げられる。これらは、１種単独で使用してもよく、２種以上を併用してもよい。これらの中でも、特に防腐効果の点で、第４級アンモニウム性陽イオン界面活性剤、ソルビン酸（塩）等が好ましい。
【００２７】
前記等張化剤としては、例えば、塩化ナトリウム、塩化カリウム、マンニトール、等が挙げられる。これらは、１種単独で使用してもよく、２種以上を併用してもよい。
【００２８】
前記ｐＨ調整剤としては、例えば、水酸化ナトリウム、水酸化カリウム、塩酸、炭酸ナトリウム、炭酸水素ナトリウム等が挙げられる。これらは、１種単独で使用してもよく、２種以上を併用してもよい。
【００２９】
前記香料・清涼化剤としては、例えば、メントール、カンフル、ボルネオール、ゲラニオール、シネオール、リナロール、ユーカリ油、ベルガモット油、ウイキョウ油、ローズ油、ラベンダー油等が挙げられる。これらは、１種単独で使用してもよく、２種以上を併用してもよい。
【００３０】
前記薬学的有効成分としては、例えば、充血除去剤（例えば塩酸ナファゾリン、塩酸テトラヒドロゾリン、塩酸フェニレフリン、エピネフリン、塩酸エピネフリン、塩酸エフェドリン、ｄｌ−塩酸メチルエフェドリン、硝酸テトラヒドロゾリン、硝酸ナファゾリン等）、消炎・収斂剤（例えばメチル硫酸ネオスチグミン、ε−アミノカプロン酸、アラントイン、塩化ベルベリン、硫酸ベルベリン、硫酸亜鉛、乳酸亜鉛、塩化リゾチーム、グリチルリチン酸ジカリウム、グリチルリチン酸アンモニウム、グリチルレチン酸、サリチル酸メチル、トラネキサム酸、アズレンスルホン酸ナトリウム、クロモグリク酸ナトリウム等）、抗ヒスタミン剤（例えば塩酸イプロヘプチン、塩酸ジフェンヒドラミン、ジフェンヒドラミン、塩酸イソチペンジル、マレイン酸クロルフェニラミン等）、局所麻酔剤（例えば塩酸リドカイン、リドカイン）、水溶性ビタミン類（例えばフラビンアデニンジヌクレオチドナトリウム、塩酸ピリドキシン、シアノコバラミン）、脂溶性ビタミン類（ビタミンＡ類（例えば酢酸レチノール、パルミチン酸レチノール）、ビタミンＥ類（酢酸トコフェロール（例えば、酢酸ｄ−α−トコフェロール））、アミノ酸類（例えばＬ−アスパラギン酸カリウム、Ｌ−アスパラギン酸マグネシウム、アミノエチルスルホン酸、コンドロイチン硫酸ナトリウム等）、サルファ剤、及び、殺菌剤（例えばスルファメトキサゾール、スルファメトキサゾールナトリウム、スルフイソキサゾール、スルフイソミジンナトリウム、イソプロピルメチルフェノール、ヒノキチオール等）、鎮咳剤（例えばリン酸ジヒドロコデイン、リン酸コデイン）、去痰剤（例えば塩酸ブロムヘキシン、グアヤコールスルホン酸カリウム、グアイフェネシン）等が挙げられる。
これらは、１種単独で使用してもよく、２種以上を併用してもよい。
【００３１】
本発明の目脂清拭用組成物のｐＨは、４〜８が好ましく、５〜８がより好ましい。
本発明の目脂清拭用組成物は、液状乃至ゲル状物であることが好ましく、２０℃における粘度が１〜１０００００ｍＰａ・ｓが好ましく、１〜１０００ｍＰａ・ｓがより好ましい。
【００３２】
＜目脂清拭用製品＞
本発明の目脂清拭用製品は、前記目脂清拭用組成物を基材に含浸又は塗布してなるものである。
前記目脂清拭用組成物が液状の場合には、前記基材に含浸させて目脂清拭用製品とすることができる。また、前記目脂清拭用組成物がゲル状の場合には、基材の片面に塗布して目脂清拭用製品とすることができる。
前記基材としては、前記目脂清拭用組成物の吸水性を有するものであれば特に制限はなく、目的に応じて適宜選定することができ、例えば、脱脂綿、綿棒、ガーゼ、スポンジ、織布、不織布、等が挙げられる。
【００３３】
＜目脂除去方法＞
本発明の目脂除去方法は、前記目脂清拭用組成物を目脂発生部位（眼及びその周辺部）に接触させた後、清拭して目脂を除去する。
【００３４】
前記目脂除去方法は、前記目脂清拭用組成物をそのまま塗布し、その後柔らかい布等で清拭しても、また前記目脂清拭用製品を目脂発生部位（眼及びその周辺部）にあててもよく、好ましくは、前記目脂清拭用製品を、目脂発生部位（眼及びその周辺部）にあてて清拭して目脂を除去するのがよい。
具体的には、前記目脂清拭用製品（シート）を、５秒〜３分間、目脂発生部位にあて、その後、そっと清拭する。これにより、眼及びその周辺部に刺激や負担をかけずに、固まった目脂であっても容易に除去することができる。
【００３５】
【実施例】
以下、本発明を、実施例及び比較例を用いて更に詳細に説明するが、本発明は、下記実施例に何ら限定されるものではない。
【００３６】
（実施例１〜２０及び比較例１〜４）
表１〜４に示す組成（配合量：ｗ／ｖ％）に従って、常法により目脂清拭用組成物を調製し、該目脂清拭用組成物を不織布に含浸させて目脂清拭用製品（シート）を作製した。
【００３７】
＜評価＞
得られた各シートを、１０人のパネラーが目脂発生部位に１０秒間押し当て、その後、清拭し、この時の目脂除去のしやすさ、及び刺激・不快感について下記基準により評価した。平均点が２．５点以上を◎、２点以上〜２．５点未満を○、１．５点以上〜２点未満を△、１．５点未満を×とし、結果を表１〜表４に併記した。なお、平均点が２点以上の場合に、目脂清拭用組成物として十分に使用できる。
【００３８】
−目脂除去のしやすさ−
３点：目脂を非常に除去しやすい
２点：目脂を除去しやすい
１点：どちらでもない
０点：目脂を除去しにくい
【００３９】
−刺激・不快感の有無−
３点：刺激や不快感をまったく感じない
２点：刺激や不快感を感じない
１点：どちらでもない
０点：刺激や不快感を感じる
【００４０】
【表１】
2004203808.tif 000002
＊ＨＰＭＣ：ヒドロキシプロピルメチルセルロース、信越化学工業（株）製  メトローズ６５ＳＨ−５０
＊ＨＣＯ−６０：ポリオキシエチレン硬化ヒマシ油６０、日光ケミカルズ（株）製
【００４１】
【表２】
2004203808.tif 000003
＊ＨＰＭＣ：ヒドロキシプロピルメチルセルロース、信越化学工業（株）製  メトローズ６５ＳＨ−５０
＊ＨＥＣ：ヒドロキシエチルセルロース、ハーキュリーズ社製
＊ＴＯ−１０：ポリオキシエチレン（２０）ソルビタンモノオレエート
【００４２】
【表３】
2004203808.tif 000004
＊ＨＰＭＣ：ヒドロキシプロピルメチルセルロース、信越化学工業（株）製  メトローズ６５ＳＨ−５０
＊ＨＥＣ：ヒドロキシエチルセルロース、ハーキュリーズ社製
＊ＴＯ−１０：ポリオキシエチレン（２０）ソルビタンモノオレエート
【００４３】
【表４】
2004203808.tif 000005
＊ＨＰＭＣ：ヒドロキシプロピルメチルセルロース、信越化学工業（株）製  メトローズ６５ＳＨ−５０
＊ＨＥＣ：ヒドロキシエチルセルロース、ハーキュリーズ社製
【００４４】
【発明の効果】
本発明によると、目脂除去性に優れ、刺激及び不快感がなく、目及びその周辺部を傷つけることなく、固まった目脂であっても衛生的に、かつ簡単に除去できる。